(57)【特許請求の範囲】
【請求項１】
用紙に形成すべき画像の画像情報に応じたトナー像を形成する形成手段と、
前記用紙に形成されたトナー像を定着する定着手段と、
前記定着手段による定着圧力を操作によって切り替える切替手段と、
前記定着手段によるトナー像の定着が開始される前に、前記用紙が前記定着手段による予め定めた第１の定着圧力での定着に対応しているか否かを判定する判定手段と、
前記判定手段により前記第１の定着圧力での定着に対応していないと判定された場合、前記定着手段による定着圧力を前記第１の定着圧力より低い第２の定着圧力に切り換えるように報知する第１の報知手段と、
前記定着圧力が、前記第２の定着圧力で定着するように切り替えられている場合、最終用紙を定着した後、排出する前に、当該最終用紙の搬送を停止する停止手段と、
前記停止手段により前記最終用紙の搬送を停止した場合、前記定着手段による定着圧力を前記第１の定着圧力に切り替えるように報知する第２の報知手段と、
を備えた画像形成装置。
【請求項２】
前記定着手段は、前記判定手段により前記第１の定着圧力での定着に対応しないと判定された場合、定着圧力が前記第２の定着圧力に切り替えられていない場合にはトナー像の定着を行わない請求項１記載の画像形成装置。
【請求項３】
前記停止手段は、前記最終用紙が曲がらない状態で停止する位置で前記最終用紙の搬送を停止させる
請求項１又は請求項２記載の画像形成装置。
【請求項４】
前記停止手段は、後続の画像形成が指示されていない場合、又は、後続の画像形成が指示されている場合で且つ指定された用紙が前記第１の定着圧力で定着すべき用紙であった場合に、前記最終用紙の搬送を停止する
請求項１〜請求項３の何れか１項記載の画像形成装置。
【請求項５】
前記第２の報知手段による報知後、前記第１の定着圧力に切り替えられた場合に、前記最終用紙を排出する排出手段
を更に備えた請求項１〜請求項４の何れか１項に記載の画像形成装置。
【請求項６】
前記定着手段によりトナー像が定着された用紙に対する後処理を行う後処理手段を更に備え、
前記停止手段は、前記最終用紙の搬送を前記後処理手段の内部で停止する請求項１〜請求項５の何れか１項に記載の画像形成装置。
【請求項７】
コンピュータを、請求項１〜請求項６の何れか１項に記載の画像形成装置を構成する各手段として機能させるための画像形成プログラム。
【発明の詳細な説明】
【技術分野】
【０００１】
本発明は、画像形成装置及び画像形成プログラムに関する。
【背景技術】
【０００２】
特許文献１には、像担持体に形成されたトナー像を転写材に転写する転写手段と、前記転写材に転写されたトナー像を定着する定着装置とを備えた画像形成装置において、前記定着装置は画像形成装置本体に対して着脱して交換可能であるとともに、前記画像形成装置は、給送される転写材が、封筒か、普通紙かを検知、または指定する転写材設定手段と、装着されている定着装置の種別を検知する定着装置検知手段と、装着されている定着装置が前記転写材設定手段で設定された転写材に適合する定着装置であるか、否かを判定する定着装置判定手段と、前記定着装置判定手段の判定結果が否である場合に、装着されている定着装置を交換すべきである旨のメッセージを表示装置に表示する表示手段と、を有することを特徴とする画像形成装置が開示されている。
【０００３】
特許文献２には、記録シート材上に未定着画像を形成する画像形成手段と、内部にヒーターを有する定着ローラと該定着ローラに当接された加圧ローラを有して記録シート材上の未定着画像を定着する定着器と、通常のシート材搬送時と厚紙や封筒等の搬送時とで前記加圧ローラの当接圧を切り換える加圧モード切換手段と、前記定着器の加圧モード切り換え時に開閉する開閉カバーとを有する画像形成装置において、当接圧の設定がそれぞれ独立して可能な前記加圧モード切換手段を前記定着ローラの端部近傍２箇所に設け、両加圧モード切換手段が同一の当接圧に設定されているときに前記開閉カバーを閉鎖可能とし、両加圧モード切換手段が異なる当接圧に設定されているときには前記開閉カバーを閉鎖不能にする加圧モード確認手段を前記開閉カバーに設けたことを特徴とする画像形成装置が開示されている。
【先行技術文献】
【特許文献】
【０００４】
【特許文献１】特開２００８−５８３６５号公報
【特許文献２】特開平１０−３３３３８６号公報
【発明の概要】
【発明が解決しようとする課題】
【０００５】
本発明は、定着圧力が、予め定めた第１の定着圧力より低い第２の定着圧力で定着するように切り替えられている状態で、最終用紙をトナー像の定着後直ぐに排出してしまう場合と比較して、定着モードを第１の定着圧力に戻すのを忘れてしまうのを防ぐことができる画像形成装置及び画像形成プログラムを提供することを目的とする。
【課題を解決するための手段】
【０００６】
上記目的を達成するために、請求項１記載の発明は、用紙に形成すべき画像の画像情報に応じたトナー像を形成する形成手段と、前記用紙に形成されたトナー像を定着する定着手段と、前記定着手段による定着圧力を操作によって切り替える切替手段と、前記定着手段によるトナー像の定着が開始される前に、前記用紙が前記定着手段による予め定めた第１の定着圧力での定着に対応しているか否かを判定する判定手段と、前記判定手段により前記第１の定着圧力での定着に対応していないと判定された場合、前記定着手段による定着圧力を前記第１の定着圧力より低い第２の定着圧力に切り換えるように報知する第１の報知手段と、前記定着圧力が、前記第２の定着圧力で定着するように切り替えられている場合、最終用紙を定着した後、排出する前に、当該最終用紙の搬送を停止する停止手段と、
前記停止手段により前記最終用紙の搬送を停止した場合、前記定着手段による定着圧力を前記第１の定着圧力に切り替えるように報知する第２の報知手段と、を備える。
請求項２記載の発明は、前記定着手段が、前記判定手段により前記第１の定着圧力での定着に対応しないと判定された場合、定着圧力が前記第２の定着圧力に切り替えられていない場合にはトナー像の定着を行わない。
【０００７】
請求項３記載の発明は、前記停止手段が、前記最終用紙が曲がらない状態で停止する位置で前記最終用紙の搬送を停止させる。
【０００８】
請求項４記載の発明は、前記停止手段が、後続の画像形成が指示されていない場合、又は、後続の画像形成が指示されている場合で且つ指定された用紙が前記第１の定着圧力で定着すべき用紙であった場合に、前記最終用紙の搬送を停止する。
【０００９】
請求項５記載の発明は、前記第２の報知手段による報知後、前記第１の定着圧力に切り替えられた場合に、前記最終用紙を排出する排出手段を更に備える。
請求項６記載の発明は、前記定着手段によりトナー像が定着された用紙に対する後処理を行う後処理手段を更に備え、前記停止手段が、前記最終用紙の搬送を前記後処理手段の内部で停止する。
【００１０】
請求項７記載の発明は、コンピュータを、請求項１〜請求項６の何れか１項に記載の画像形成装置を構成する各手段として機能させるための画像形成プログラムである。
【発明の効果】
【００１１】
請求項１、７記載の発明によれば、定着圧力が、予め定めた第１の定着圧力より低い第２の定着圧力で定着するように切り替えられている状態で、最終用紙をトナー像の定着後直ぐに排出してしまう場合と比較して、定着モードを第１の定着圧力に戻すのを忘れてしまうのを防ぐことができる、という効果を有する。
【００１２】
請求項３記載の発明によれば、最終用紙の状態に関係なく最終用紙の搬送を停止させてしまう場合と比較して、最終用紙の排出後も最終用紙がカールしたりしてしまうのを防ぐことができる、という効果を有する。
【００１３】
請求項４記載の発明によれば、最終用紙を定着した後、常に搬送を停止してしまう場合と比較して、不必要に定着モードを元に戻してしまい、再度定着モードを切り替えなければならなくなるのを防ぐことができる、という効果を有する。
【００１４】
請求項５記載の発明によれば、報知手段による報知後、第１の定着圧力に切り替えられるのを待たずに最終用紙を排出してしまう場合と比較して、確実に定着モードを第１の定着圧力に戻すことができる、という効果を有する。
【図面の簡単な説明】
【００１５】
【図１】画像形成システムの概略構成図である。
【図２】画像形成装置の概略構成図である。
【図３】定着装置の概略構成図である。
【図４】定着装置の外観の一部を示す斜視図である。
【図５】画像形成装置の搬送経路について説明するための図である。
【図６】画像形成装置で実行される処理のフローチャートである。
【発明を実施するための形態】
【００１６】
以下、本発明の実施形態について説明する。
【００１７】
図１には、本実施形態に係る画像形成システム１０の概略構成を例示した。同図に示すように、画像形成システム１０は、画像形成装置１２及び端末装置１４がネットワーク１６を介して相互に接続された構成となっている。
【００１８】
図２には、画像形成装置１２の概略構成を例示した。同図に示すように、画像形成装置１２は、コンピュータ１８を含んで構成されている。
【００１９】
コンピュータ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、及び入出力インターフェース（Ｉ／Ｏ）１８Ｅがバス１８Ｆを介して各々接続された構成となっている。
【００２０】
Ｉ／Ｏ１８Ｅには、操作表示部２０、画像読取部２２、画像形成部２４、用紙供給部２６、用紙排出部２８、ネットワーク通信インターフェース（Ｉ／Ｆ）３０、電話回線インターフェース（Ｉ／Ｆ）３２、及びハードディスク３４等の各機能部が接続されている。
【００２１】
操作表示部２０は、例えばコピー開始等を指示するためのスタートボタンやテンキー等の各種ボタン、コピー濃度等の各種の画像形成条件等のパラメータを設定するための設定画面、装置の状態等の各種画面等を表示するためのタッチパネル等を含んで構成される。
【００２２】
画像読取部２２は、ラインＣＣＤ等の画像読取センサや当該画像読取センサを走査するための走査機構等を含んで構成され、装置にセットされた原稿の画像を読み取る。
【００２３】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する図３に示すような定着装置３６等を含んで構成される。
【００２４】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００２５】
図３に示すように、定着装置３６は、一例として熱伝導性の高い金属性コアの内部にハロゲンランプなどのヒータを備え、図中矢印Ａ方向に回転する加熱ロール３６Ａと、当該加熱ロール３６Ａと対向して配置され、図中矢印Ｂ方向に回転する加圧ロール３６Ｂと、を備えている。画像に応じたトナー像が形成された用紙Ｐは、図中矢印Ａ方向に回転する加熱ロール３６Ａと図中矢印Ｂ方向に回転する加圧ロール３６Ｂとにより挟まれ、矢印Ｃ方向に搬送される。これにより、用紙Ｐ上に形成されたトナー像が加熱されて定着される。
【００２６】
また、定着装置３６は、用紙Ｐにトナー像を定着させる際の定着圧力、すなわち、加圧ロール３６Ｂが加熱ロール３６Ａへの加圧する際の圧力を第１の定着圧力及び第２の定着圧力の何れかに切り替えられる構成となっている。ここで、第１の定着圧力は、例えば普通紙等の通常使用される用紙に形成されたトナー像を定着するのに適した定着圧力であり、第２の定着圧力は、普通紙等と比較して第１の定着圧力で定着したのではしわが発生する虞のある封筒等に形成されたトナー像を定着するのに適した定着圧力であり、第１の定着圧力よりも低い定着圧力である。本実施形態では、一例として、普通紙等、封筒以外の用紙を定着する圧力を第１の定着圧力とし、第１の定着圧力で定着する定着モードを通常モードと称し、封筒を定着する圧力を第２の定着圧力とし、第２の定着圧力で定着する定着モードを封筒モードと称する。
【００２７】
図４には、定着装置３６の外観の一部斜視図を示した。同図（Ａ）に示すように、定着装置３６は、定着圧力を切り替えるための切り替えレバー３６Ｃを備えている。この切り替えレバー３６Ｃが普通紙を表すマーク３８Ａの位置にある場合は、通常モードに切り替えられている状態、すなわち第１の定着圧力で定着するように切り替えられている状態である。一方、同図（Ｂ）に示すように、切り替えレバー３６Ｃが封筒を表すマーク３８Ｂの位置にある場合は、封筒モードに切り替えられている状態、すなわち第１の定着圧力よりも低い第２の定着圧力で定着するように切り替えられている状態である。
【００２８】
このように、定着装置３６は、利用者による切り替えレバー３６Ｃの切り替え操作に連動して、加圧ロール３６Ｂが加熱ロール３６Ａを加圧する際の圧力が切り替わる構成となっている。なお、切り替えレバー３６Ｃの位置は図示しないセンサによって検知され、切り替えレバー３６Ｃが何れの位置にあるかを示す情報は、例えば画像形成部２４内の図示しないメモリに記憶される。ＣＰＵ１８Ａは、切り替えレバー３６Ｃが何れの位置にあるかを示す情報を画像形成部２４に問い合わせることにより、現在の切り替えレバー３６Ｃの位置に関する情報を取得する。
【００２９】
利用者は、封筒に印刷したい場合には、切り替えレバー３６Ｃを封筒モードに切り替え、それ以外の普通紙等の用紙に印刷したい場合には、切り替えレバー３６Ｃを通常モードに切り替える。そして、端末装置１４からプリント指示したり、操作表示部２０を操作してコピー指示したりする。これにより、それぞれの用紙に適した定着圧力でトナー像が定着される。
【００３０】
用紙供給部２６は、記録用紙が収容される用紙収容部や、用紙収容部から画像形成部２４へ記録用紙を供給する供給機構等を含んで構成される。用紙収容部は、普通紙等を収容する収容部や封筒等を収容する収容部等、図５に示すように、複数の収容部２６Ａ〜２６Ｄを備えている。
【００３１】
用紙排出部２８は、記録用紙に対して、ステープル処理や穴あけ処理等の後処理を行うフィニッシャー、記録用紙が排出される排出部、画像形成部２４で画像形成された記録用紙をフィニッシャーや排出部上に排出させるための排出機構等を含んで構成される。本実施形態では、図５に示すように、用紙排出部２８がフィニッシャー２８Ａを備えた場合の構成について説明するが、フィニッシャー２８Ａを備えない構成でもよい。
【００３２】
ここで、用紙の搬送について説明する。複数の収容部２６Ａ〜２６Ｄのうち、指定された用紙が収容された収容部から用紙が取り出されると、取り出された用紙上に画像に応じたトナー像が形成され、定着装置３６によってトナー像が定着される。定着装置３６によってトナー像が定着された用紙は、搬送ローラ４０によってフィニッシャー２８Ａに向かって搬送される。そして、ステープル処理等の後処理が指示されている場合には、搬送された用紙は一次用紙受け２８Ｂに一旦排出され、ステープル処理等の後処理が施されてから用紙受け２８Ｃに排出される。
【００３３】
なお、定着装置３６の搬送方向下流側には、用紙を検出するための用紙センサ４２Ａが設けられている。また、フィニッシャー２８Ａの用紙取り込み側には、用紙センサ４２Ｂが設けられている。用紙センサ４２Ａ、４２Ｂは、図２に示すように、Ｉ／Ｏ１８Ｅに接続されている。
【００３４】
ネットワーク通信Ｉ／Ｆ３０は、ネットワーク１６を介して端末装置１４等とデータ通信を行うためのインターフェースである。
【００３５】
電話回線通信Ｉ／Ｆ３２は、図示しない電話回線を介して接続された他の画像形成装置とファクシミリ通信を行うためのインターフェースである。
【００３６】
ハードディスク３４は、例えば装置の各部の状態や稼働状況等のログデータ、コピーやファクシミリ通信、プリント等の処理結果のログデータ、各種の設定データ、制御プログラム等が記憶される。
【００３７】
なお、後述する処理の制御プログラムは、本実施形態では一例としてハードディスク３４に予め記憶され、ＣＰＵ１８Ａがこの予め記憶された制御プログラムを読み込むことにより実行される。また、ＣＤ−ＲＯＭ等の記録媒体に制御プログラムを記録し、これをＣＤ−ＲＯＭドライブ等で読み込むことにより実行するようにしてもよい。
【００３８】
端末装置１４は、例えば一般的なパーソナルコンピュータ等で構成され、利用者により印刷が指示された場合、用紙に形成すべき画像に関する画像情報及び用紙の種類に関する用紙情報を含む画像形成情報を画像形成装置１２に送信する。用紙情報は、本実施形態においては、普通紙や封筒等の用紙の種類を指定する情報である。なお、本実施形態における「画像」には、文字のみの画像や、写真やグラフィックス等を含む画像等、様々な形態の画像が含まれる。
【００３９】
利用者は、例えば封筒に宛名等を印刷したい場合には、切り替えレバー３６Ｃを封筒モードに切り替え、それ以外の普通紙等の用紙に印刷したい場合には、切り替えレバー３６Ｃを通常モードに切り替える。そして、端末装置１４から用紙情報として封筒又は普通紙を指定し、画像情報と共に画像形成装置１２にネットワーク１６を介して送信することで印刷指示する。
【００４０】
画像形成装置１２では、端末装置１４から送信された画像情報及び用紙情報を含む画像形成情報を、ネットワーク１６を介して受信した場合、受信した画像形成情報に基づいて、指定された用紙に画像を形成する。
【００４１】
また、画像形成装置１２は、電話回線を介して他の装置から画像形成情報をファクシミリ通信により受信した場合、受信した画像形成情報に基づいて、指定された用紙に画像を形成する。
【００４２】
また、画像形成装置１２は、利用者が画像読取部２２に原稿をセットして、操作表示部２０を操作して用紙の種類を指定した場合、指定した用紙に画像読取部２２で読み取った原稿の画像を形成する。
【００４３】
次に、本実施形態の作用として、画像形成装置１２のＣＰＵ１８Ａで実行される処理について、図６に示すフローチャートを参照して説明する。
【００４４】
なお、この処理は、例えば、利用者が画像読取部２２に原稿をセットしてコピーの実行を指示した場合や、端末装置１４から画像形成情報をネットワーク１６を介して受信した場合に実行される。
【００４５】
まず、ステップ１００では、現在の定着モードに対応した用紙と、用紙情報で指定された用紙とが一致するか否かを判断する。具体的には、画像形成部２４から切り替えレバー３６Ｃが何れの位置にあるかを示す情報を取得し、この情報に基づいて、現在の定着モードが通常モードであるか封筒モードであるかを判断する。そして、定着モードに対応した用紙と、用紙情報で指定された用紙とが一致するか否かを判断する。
【００４６】
そして、現在の定着モードに対応した用紙と、用紙情報で指定された用紙とが一致する場合にはステップ１０２へ移行し、一致しない場合はステップ１１０へ移行する。
【００４７】
ステップ１１０では、現在の定着モードに対応した用紙と、用紙情報で指定された用紙とが一致していないので、切り替えレバー３６Ｃを切り替えるように促す警告メッセージを操作表示部２０に表示する。なお、端末装置１４からのプリント指示の場合には、端末装置１４に警告メッセージを表示するように指示して表示させるようにしてもよい。
【００４８】
一方、ステップ１０２では、現在の定着モードに対応した用紙と、用紙情報で指定された用紙とが一致しているので、用紙１枚分の画像に応じたトナー像を指定された用紙に形成するように画像形成部２４に指示する。これにより、画像に応じたトナー像が用紙上に形成される。
【００４９】
ステップ１０４では、用紙上に形成されたトナー像を定着するよう定着装置３６に指示する。これにより、用紙上に形成されたトナー像が定着される。
【００５０】
ステップ１０６では、最終用紙か否かを判断し、最終用紙である場合にはステップ１１２へ移行し、最終用紙でない場合には、ステップ１０８へ移行する。
【００５１】
ステップ１０８では、トナー像が定着された用紙を搬送ローラ４０によってフィニッシャー２８Ａに向けて搬送し、必要に応じて後処理をフィニッシャー２８Ａにより施して、用紙受け２８Ｃに排出する。そして、最終用紙の定着が終了するまで、ステップ１０２〜１０８の処理を繰り返す。
【００５２】
ステップ１１２では、現在の定着モードが封筒モードであるか否かを判断し、封筒モードである場合にはステップ１１４へ移行し、封筒モードでない場合、すなわち通常モードの場合にはステップ１２４へ移行する。
【００５３】
ステップ１１４では、後続の画像形成が指示されているか否か、後続の画像形成が指示されている場合に、指定された用紙が封筒以外であるか否かを判断する。そして、後続の画像形成が指示されていない場合、又は、後続の画像形成が指示されているが、指定された用紙が封筒以外である場合には、ステップ１１６へ移行し、それ以外の場合、すなわち後続の画像形成が指示されているが、指定された用紙が封筒である場合はステップ１２４へ移行する。
【００５４】
ステップ１１６では、用紙センサ４２Ａがオンしたか否かを判断し、用紙センサ４２Ａがオンした場合には、ステップ１１８へ移行し、用紙センサ４２Ａがオンしていない場合には、用紙センサ４２Ａがオンするまで待機する。
【００５５】
ステップ１１８では、最終用紙の搬送を停止させる。このとき、停止させるタイミングは、用紙センサ４２Ａがオンしてから予め定めた第１の時間オンしてからオフした後、予め定めた第２の時間経過後に、最終用紙の搬送を停止させる。ここで、第１の時間は、この時間以上オンしていれば、確実に最終用紙を検出できたと判断される時間に設定される。すなわち、用紙センサ４２Ａが一瞬オンしただけでも最終用紙を検出したと判断してしまうと、ノイズ等の影響によって用紙センサ４２Ａが一瞬オンした場合でも最終用紙を検出したと誤判断してしまう。この誤判断を防止するために、オン状態が第１の時間継続してからオフした場合を最終用紙を検出したと判断する。
【００５６】
また、第２の時間は、この時間経過後に最終用紙の搬送を停止させれば、最終用紙にダメージを与えるような位置で停止したり、最終用紙が曲がった状態で停止し、カールしたりするのを防ぐことが可能な位置で停止させられる時間に設定される。
【００５７】
例えば、図５の場合、第２の時間は、最終用紙が曲がらない状態で停止させられる位置である平らな搬送路４４上で真っ直ぐな状態で停止させられるような時間に設定される。すなわち、第２の時間は、最終用紙が定着装置３６により定着されて用紙センサ４２Ａにより検出され、その時点から最終用紙の最後尾が平らな搬送路４４上に搬送されるまでに必要な時間に設定される。
【００５８】
また、用紙の排出先がフィニッシャー２８Ａに指定されており、何らかの後処理を施すように指定されている場合、最終用紙より前に画像形成した用紙はフィニッシャー２８Ａの一次用紙受け２８Ｂに排出しておき、最終用紙を搬送路４４上で停止させるようにしてもよい。また、画像形成指示が１枚だけの場合は、その用紙を搬送路４４上で停止させるようにしてもよいし、一次用紙受け２８Ｂに排出しておき、切り替えレバー３６Ｃが通常モードに切り替えられてから用紙受け２８Ｃに排出するようにしてもよい。
【００５９】
ステップ１２０では、例えば「定着モードを通常モードへお戻しください。」といったような、定着モードを通常モードへ戻すよう利用者に促す警告メッセージを操作表示部２０に２０に表示する等して、切り替えレバー３６Ｃを操作して定着モードを通常モードに戻す必要があることを報知する。なお、端末装置１４からのプリント指示の場合には、端末装置１４に警告メッセージを表示するように指示して表示させるようにしてもよい。
【００６０】
ステップ１２２では、切り替えレバー３６Ｃが通常モードに切り替えられたか否かを判断し、通常モードに戻された場合には、ステップ１２４へ移行し、通常モードに戻されていない場合には、通常モードに戻されるまで待機する。
【００６１】
ステップ１２４では、最終用紙の搬送を再開させ、フィニッシャー２８Ａに向けて搬送し、必要に応じて後処理をフィニッシャー２８Ａにより施して、用紙受け２８Ｃに排出する。
【００６２】
このように、本実施形態では、定着モードが封筒モードの場合には、最終用紙へのトナー像の定着が終了しても直ぐに用紙受け２８Ａに排出せず、一旦搬送を停止させ、切り替えレバー３６Ｃを通常モードに戻すように報知する。これにより、利用者は、通常モードに戻す必要があることを認識し、切り替えレバー３６Ｃを通常モードへ戻す操作を行う。
【００６３】
なお、本実施形態では、封筒モードで最終用紙を定着して搬送を停止した後、切り替えレバー３６Ｃが通常モードへ戻された場合に、最終用紙の搬送を再開させて排出させる場合について説明したが、これに限らず、例えば、操作表示部２０に表示された警告メッセージを消去するための操作を利用者が行った場合、すなわち、警告メッセージを利用者が認識したと判断されるような操作を行った場合に最終用紙の搬送を再開させて排出するようにしてもよい。
【００６４】
また、本実施形態では、定着モードを通常モード及び封筒モードの何れかに切り替えられる場合について説明したが、３種類以上の定着モードから何れかに切り替えられる構成としてもよい。
【００６５】
また、上記各実施形態で説明した画像形成装置１２の構成（図２参照）は一例であり、本発明の主旨を逸脱しない範囲内において不要な部分を削除したり、新たな部分を追加したりしてもよいことは言うまでもない。
【００６６】
また、上記各記実施形態で説明した制御プログラムの処理の流れ（図６参照）も一例であり、本発明の主旨を逸脱しない範囲内において不要なステップを削除したり、新たなステップを追加したり、処理順序を入れ替えたりしてもよいことは言うまでもない。
【符号の説明】
【００６７】
１０  画像形成システム
１２  画像形成装置
１５  端末装置
１６  ネットワーク
１８  コンピュータ（制御手段）
２０  操作表示部
２２  画像読取部
２４  画像形成部（形成手段）
２６  用紙供給部
２８  用紙排出部
３０  ネットワーク通信Ｉ／Ｆ
３２  電話回線通信Ｉ／Ｆ
３４  ハードディスク（記憶手段）
３６  定着装置（定着手段）
３６Ｃ      切り替えレバー（切替手段）
【図１】
0005589774.tif 000002
【図２】
0005589774.tif 000003
【図３】
0005589774.tif 000004
【図４】
0005589774.tif 000005
【図５】
0005589774.tif 000006
【図６】
0005589774.tif 000007